【手続補正書】
【提出日】平成20年9月18日(2008.9.18)
【手続補正１】
【補正対象書類名】明細書
【補正対象項目名】特許請求の範囲
【補正方法】変更
【補正の内容】
【特許請求の範囲】
【請求項１】
第１の形状からなる入力画像を第２の形状からなる出力画像へと編集する画像編集方法であって、
前記入力画像を構成する複数の領域について、前記入力画像内におけるその領域の位置関係に基づいてそれぞれの編集方法を決定するステップと、
それぞれ決定された前記編集方法でもって前記領域を編集することで前記第２の形状からなる出力画像を生成するステップと、
を含むことを特徴とする画像編集方法。
【請求項２】
複数の入力画像を記録媒体に記録する際の画像編集方法であって、
前記入力画像が形成される前記記録媒体上の各画像形成エリアの形状を指定するステップと、
前記入力画像の形状を抽出するステップと、
前記画像形成エリアの形状と前記入力画像の形状とに基づいて、前記入力画像の特徴部の特性を維持するように、前記入力画像を構成する複数の領域ごとにそれぞれ縦方向の変倍率と横方向の変倍率とを決定するステップと、
決定された前記変倍率に基づいて前記領域ごとに変倍処理を施し形成用の画像を生成するステップと、
を有することを特徴とする画像編集方法。
【請求項３】
第１の形状からなる入力画像を第２の形状からなる出力画像へと編集する画像編集装置であって、
前記入力画像を入力する入力手段と、
前記入力画像を構成する複数の領域について、複数の編集方法から、前記入力画像内におけるその領域の位置関係に基づいてそれぞれの編集方法を決定する決定手段と、
それぞれ決定された前記編集方法でもって前記領域を編集することで前記第２の形状からなる出力画像を生成する生成手段と、
前記生成手段により生成された出力画像を出力する出力手段と、
を含むことを特徴とする画像編集装置。
【請求項４】
前記第１の形状からなる入力画像は第１の縦横比からなり、
前記第２の形状からなる出力画像は第２の縦横比からなり、
前記複数の編集方法は、それぞれ異なる変倍率による変倍処理方法であることを特徴とする請求項３に記載の画像編集装置。
【請求項５】
前記入力画像の特性を抽出する抽出手段をさらに備え、
前記決定手段は、前記抽出手段により抽出された前記入力画像の特性に基づいて前記編集方法を決定することを特徴とする請求項３または請求項４に記載の画像編集装置。
【請求項６】
前記抽出手段は、前記入力画像の特徴部と非特徴部とを抽出し、
前記決定手段は、前記入力画像の特徴部については縦横比を維持する編集方法を決定し、前記入力画像の非特徴部については縦横比を変更する編集方法を決定することを特徴とする請求項５記載の画像編集装置。
【請求項７】
前記入力画像の特徴部は、前記入力画像の中央付近に位置する領域であり、前記入力画像の非特徴部は、前記入力画像の周辺付近に位置する領域であることを特徴とする請求項６に記載の画像編集装置。
【請求項８】
前記決定手段は、前記入力画像内の特定位置と前記領域との位置関係に基づいて、前記編集方法を決定することを特徴とする請求項３又は請求項４に記載の画像編集装置。
【請求項９】
前記抽出手段は、前記入力画像のシーン又は対象物を判定する判定手段を備え、
前記決定手段は、前記判定手段により得られた前記入力画像のシーン又は対象物に基づいて前記編集方法を決定することを特徴とする請求項５に記載の画像編集装置。
【請求項１０】
前記抽出手段は、前記入力画像を構成する各領域ごとに、該領域に文字画像が含まれているか判別する判別手段をさらに備え、
前記生成手段は、文字画像と判別された前記領域については、縦横比を概ね維持しつつ変倍処理を施すことを特徴とする請求項５に記載の画像編集装置。
【請求項１１】
ユーザーから指示の入力する入力手段をさらに備え、
前記決定手段は、前記入力手段から入力された指示に基づいて前記決定を実行することを特徴とする請求項３乃至請求項１０の何れか１項に記載の画像編集装置。
【請求項１２】
前記第２の形状は、多角形又は曲線からなる任意の形状であることを特徴とする請求項３乃至請求項１１の何れか１項に記載の画像編集装置。
【請求項１３】
前記変倍率とは、横方向の変倍率と縦方向の変倍率と含む情報であることを請求項４記載の画像編集装置。
【請求項１４】
複数の入力画像を記録媒体に記録する際の画像編集装置であって、
前記入力画像が形成される前記記録媒体上の各画像形成エリアの形状を指定する指定手段と、
前記入力画像の形状を抽出する抽出手段と、
前記画像形成エリアの形状と前記入力画像の形状とに基づいて、前記入力画像の特徴部の特性を維持するように、前記入力画像を構成する複数の領域ごとにそれぞれ縦方向の変倍率と横方向の変倍率とを決定する決定手段と、
決定された前記変倍率に基づいて前記領域ごとに変倍処理を施し形成用の画像を生成する生成手段と、
を有することを特徴とする画像編集装置。
【請求項１５】
請求項３乃至請求項１４の何れか１項に記載された前記手段のすべてをコンピュータに機能させるための画像編集プログラム。
【請求項１６】
請求項１または２に記載された前記ステップのそれぞれをコンピュータに実行させるための画像編集プログラム。
【請求項１７】
前記画像編集プログラムは、複数のソフトウエアからなり、単一のコンピュータ上で実行されるか、あるいは、複数のコンピュータ上で分散的に実行されることを特徴とする請求項１５又は請求項１６に記載の画像編集プログラム。
【請求項１８】
請求項１５乃至請求項１７の何れか１項に記載された前記画像編集プログラムを備えることを特徴とする画像入力装置。
【請求項１９】
請求項１５乃至請求項１７の何れか１項に記載された前記画像編集プログラムを備えることを特徴とする画像記録装置。
【請求項２０】
給送手段によって記録手段に給送され、該記録手段において視覚的な情報が記録される記録媒体であって、
第１の剛性を有する第１の領域と、
前記第１の剛性よりも低い第２の剛性を有し、給送方向に対して略直角な方向に沿って配置されてなる第２の領域とを含み、
前記記録媒体の端部から前記第２の領域までの最短距離が、給送の開始時における該端部から前記給送手段が該記録媒体に接している部分までの距離よりも長いことを特徴とする記録媒体。
【請求項２１】
前記記録媒体は、前記記録手段において視覚的な情報が記録される際に第１の支持手段と第２の支持手段によって支持されるものであり、
前記記録媒体の端部から前記第２の領域までの最短距離が、前記記録手段と前記第１の支持手段との間の距離よりも長いことを特徴とする請求項２０に記載の記録媒体。
【請求項２２】
前記第２の領域は、前記記録媒体に施されたミシン目領域であることを特徴とする請求項２０又は請求項２１に記載の記録媒体。
【請求項２３】
第１の剛性を有する第１の領域と前記第１の剛性よりも低い第２の剛性を有する第２の領域とを含む記録媒体に対して視覚的な情報を形成する画像形成装置であって、
複数の記録媒体から１つの記録媒体を分離する分離手段と、
前記分離手段により分離された前記記録媒体を給送するための給送手段と、
前記給送手段により給送された前記記録媒体を搬送する搬送手段と、
前記搬送手段により搬送されてきた前記記録媒体に対し前記視覚的な情報を形成する形成手段と、
前記形成手段により画像が形成された前記記録媒体を排出する排出手段と、
を備え、
前記分離手段と前記給送手段とを前記記録媒体上に投射した場合の投射距離が、前記記録媒体の端部から前記第２の領域までの最短距離以下となるように前記分離手段と前記給送手段とを配置したことを特徴とする画像形成装置。
【請求項２４】
前記排出手段と前記形成手段とを前記記録媒体上に投射した場合の投射距離が、前記記録媒体の端部から前記第２の領域までの最短距離以下となるように前記排出手段と前記形成手段とを配置したことを特徴とする請求項２３に記載の画像形成装置。
【請求項２５】
前記第２の領域は、前記記録媒体に施されたミシン目領域であることを特徴とする請求項２３又は請求項２４に記載の画像形成装置。
【請求項２６】
請求項２０乃至請求項２２の何れか１項に記載された記録媒体の画像形成エリアの形状に合うように、第１の形状からなる入力画像を編集して出力画像を生成する画像生成方法であって、
前記入力画像を構成する複数の領域について、前記入力画像内におけるその領域の位置関係に基づいてそれぞれの編集方法を決定するステップと、
それぞれ決定された前記編集方法でもって前記領域を編集することで前記第２の形状からなる出力画像を生成するステップと、
を含むことを特徴とする画像生成方法。
【請求項２７】
入力画像を入力する入力手段と、
前記入力画像を構成する複数の領域について、前記入力画像内におけるその領域の位置関係に基づいてそれぞれの編集方法を決定する決定手段と、
それぞれ決定された前記編集方法でもって前記領域を編集することで第２の形状からなる出力画像を生成する生成手段と、
を、さらに備え、
前記形成手段は、前記生成手段により生成された出力画像を前記記録媒体上に形成することを特徴とする請求項２３乃至請求項２５の何れか１項に記載された画像形成装置。
【請求項２８】
入力画像の比率を出力画像の比率に合わせる際に、出力画像の中心部が外部に比べてゆがまないように入力画像の編集処理を行う編集手段と、
前記編集手段により編集処理された画像を印刷する印刷手段とを有することを特徴とする印刷装置。